(57)【要約】【課題】  今までよりも、さらに省スペースを図った自動車用空調装置を提供すること。【解決手段】  空調ケース内に上流から空気を導入する送風機を持つ空気導入装置、導入した空気を温調するエバポレータ、ヒータコア、ミックスドアを持つ温調手段、最も下流に所望の吹出モードに応じて吹出す各吹出開口を有する自動車用空調装置において、前記送風機の下流の空気通路に前記エバポレータを配し、このエバポレータの後方で冷風が流れる前記空気通路の上方側にその冷風を加熱するヒータコアを配置する。そして、該ヒータコアの下方側に冷風がバイパスして流れるバイパス通路を構成する。【選択図】        図１
2006137214.tif 000002
【特許請求の範囲】
【請求項１】
空調ケース内に上流から空気を導入する送風機を持つ空気導入装置、導入した空気を温調するエバポレータ、ヒータコア、ミックスドアを持つ温調手段、最も下流に所望の吹出モードに応じて吹出す各吹出用開口を有する自動車用空調装置において、
前記送風機の下流の空気通路に前記エバポレータを配し、このエバポレータの後方で冷風が流れる前記空気通路の上方側にその冷風を加熱するヒータコアを配すると共に、該ヒータコアの下方側に冷風がバイパスして流れるバイパス通路を構成したことを特徴とする自動車用空調装置。
【請求項２】
前記ヒータコアの近傍にフット吹出用開口を形成したことを特徴とする請求項１記載の自動車用空調装置。
【請求項３】
前記フット吹出用開口は、車両の前方に向けて形成されていることを特徴とする請求項２記載の自動車用空調装置。
【請求項４】
前記ミックスドアは冷風ドアと温風ドアより成り、この両ドアはリンク機構により同期させることを特徴とする請求項１記載の自動車用空調装置。
【請求項５】
前記ヒータコアの背後には、温風流出阻止板が配され、この温風流出阻止板が前記ミックスドアの冷風ドアとリンク機構により同期させることを特徴とする請求項１又は４記載の自動車用空調装置。
【請求項６】
前記空調ケースは、水漏れを防ぐため、横方向に分割線を形成して下方にドレン部を設け、少なくとも２つ以上の部分より成ることを特徴とする請求項１記載の自動車用空調装置。
【請求項７】
前記ドレン部の底面の内側で、エバポレータの下流から前記ミックスドアの近くまで、複数のリブを立設したことを特徴とする請求項１又は６記載の自動車用空調装置。
【請求項８】
前記ミックスドアの冷風ドアの回動は、閉状態から車両前方に向けて開くよう構成したことを特徴とする請求項１，４，５，又は７記載の自動車用空調装置。
【請求項９】
前記空調ケースの座席側に面する部分に断熱吸音材を貼着したことを特徴とする請求項１記載の自動車用空調装置。
【発明の詳細な説明】
【技術分野】
【０００１】
この発明は、より省スペース化を図った自動車用空調装置に関する。
【背景技術】
【０００２】
車両の運転席の周辺の省スペースの要請から、送風機が一体型の自動車用空調装置の開発がなされている。例えば特許文献１，２，３に示すごとく、空調ケースの上流側に送風機が設けられ、その送風機の下流側の空気流路に冷却器となるエバポレータが配され、さらにその下流で前記空気流路の下方にヒータコアが配され、前記ヒータコアの前方に前記エバポレータを通過した冷風の該ヒータコアを通過する分量を変化させるミックドアが配され、ヒータコアの後方で冷風と温風が混合され、所望する温度に温調され、吹出モードに応じて各吹出口より温調空気を車室内へ吹出させている。
【特許文献１】特開２００３−３２０８３４
【特許文献２】特開２００３−７５０２７
【特許文献３】特開２００４−２０３１９０
【０００３】
特許文献１，２，３で示した自動車用空調装置は、共にヒータコアが空調流路の下方に配されているから空調ケースの下方、即ち車体に組込まれた際には座席側が膨らんでいる形態にならざるを得ないし、また、特許文献１，２にあっては、フット吹出開口が前記ヒータコアよりも上方に形成され、特許文献３にあっては、足元通風路２０を空調ケース２の縦方向即ち車両の縦方向に形成していた。
【発明の開示】
【発明が解決しようとする課題】
【０００４】
しかし、前記特許文献１乃至３にあって、前記ヒータコアによって空調ケースの車室内が膨らんで、その前面に配される音響機器等の寸法が制限されていたし、また特許文献３のように、足元通風路を空調ケースの座席側に持つものでは、その座席側に出っ張ることになる問題点を有していた。
【０００５】
そこで、この発明は、さらに省スペース化を図る自動車用空調装置を提供することを目的とする。
【課題を解決するための手段】
【０００６】
この発明に係る自動車用空調装置は、空調ケース内上流から空気を導入する送風機を持つ空気導入装置、導入した空気を温調するエバポレータ、ヒータコア、ミックスドアを持つ温調手段、最も下流に所望の吹出モードに応じて吹出す各吹出開口を有する自動車用空調装置において、前記送風機の下方の空気通路に前記エバポレータを配し、このエバポレータの後方で冷風が流れる前記空気通路の上方側にその冷風を加熱するヒータコアを配すると共に、該ヒータコアの下方側に冷風がバイパスして流れるバイパス通路を構成したことものである（請求項１）。これにより、ヒータコアの位置が空気通路の上方に配されることから、空調ケースの下方でしかも座席側に出っ張るような該ヒータコアのスペースを作らなくても良くなる。
【０００７】
また、ヒータコアの近傍にフット吹出用開口を形成したことにある（請求項２）。これにより、ベント吹出用開口がヒータコアより最も遠い位置となり、フルクール時には冷風が該ヒータコアから離れて流れるようになる。
【０００８】
前記フット吹出用開口は、車両の前方に向けて形成されているため（請求項３）、送風機のケースの背後の不使用空間を足元吹出ダクトとの接続場所として使用できる。
【０００９】
前記ミックスドアは冷風ドアと温風ドアとより成り、この両ドアはリンク機構により同期させるようにしている（請求項４）。これは、ヒータコア前面のスペースが取れないために、２つの部分ドアを用いることから生じ、駆動力を伝達するリンク機構の構造の容易化を図っている。
【００１０】
前記ヒータコアの背後には、温風流出阻止板が配され、この温風流出阻止板が前記ミックスドアの冷風ドアとリンク機構により同期させている（請求項５）。このため冷風ドアの全開時に、温風流出阻止板によりヒータコアの背後が閉じられる。
【００１１】
前記空調ケースは、水漏れを防ぐため、横方向に分割線を形成して下方にドレン部を設け、少なくとも２つ以上の部分より成ることにある（請求項６）。このため、ドレン部が上面開口の碗状となる。
【００１２】
前記ドレン部の底面の内側で、エバポレータの下流から前記ミックスドアの近くまで、複数のリブを立設したことにある（請求項７）。また前記ミックスドアの冷風ドアの回動は、閉状態から車両前方に向けて開くように構成したことにある（請求項８）。これにより前者では、複数のリブから冷却水の冷風による影響を少なくして排水を良好とし、後者では、冷風ドアを排水方向と同方向に動かされる。
【００１３】
前記空調ケースの車室内に面する部分に断熱吸音材を貼着したことにあり（請求項９）、車室内へ送風機等の騒音が漏れることを防いでいる。
【発明の効果】
【００１４】
以上のように、この発明によれば、空調ケース内でヒータコアの位置が空気通路の上方に配されるため、空調ケースの下方でしかも座席側に出っ張るような該ヒータコアのスペースを取らなくて良くなり、空調ケースの座席側の膨らみを減少させることができ、省スペース化を図ることができる（請求項１）。
【００１５】
また、ヒータコアの近傍にフット吹出用開口が設けられることから、ベント吹出開口がヒータコアよりも最も遠い位置となり、フルクール時には冷風が該ヒータコアから離れて流れるようになり、冷風による暖気のピックアップ現象が防がれる（請求項２）。さらに、フット吹出開口は、車両の前方に向けて形成され、送風機ケースの背後の不使用空間を足元ダクトとの接続場所として使用できる（請求項３）。
【００１６】
前記ミックスドアは、冷風ドアと温風ドアとより成り、両ドアはリンク機構により同期され、ヒータコアの前面にスペースが取れない際に有効であり、駆動力を伝達するリンク機構の構造の容易化を図っている（請求項４）。
【００１７】
前記ヒータコアの背後に配された温風流出阻止板が冷風ドアの全閉時にヒータコアの背後を閉じるため、流れる冷風による暖気のピックアップ現象を確実に防ぐことができる（請求項５）。
【００１８】
前記空調ケースは、横方向に分割線を形成して下方にドレン部を設けているため、上面開口の碗状のドレン部となり分割線がなく、確実に水漏れを防ぐことができる（請求項６）。また前記ドレン部の底面の内側に立設の複数のリブにより、冷却水の冷風の影響を少なくして、排水を良好とすることができるし（請求項７）、前記ミックスドアの冷風ドアは、閉状態から車両前方に向けて開き、その開く方向は排水方向と同方向となり、冷却水の排水を良好とすることができる（請求項８）。さらに、空調ケースの座席側に面する部分に貼着の断熱吸音材により車室内への送風機等の騒音が漏れるのを防ぐことができる（請求項９）。
【発明を実施するための最良の形態】
【００１９】
以下、この発明の実施例を図面にもとづいて説明する。
【実施例１】
【００２０】
図１，図２において、この発明の第１の実施例が示され、自動車用空調装置１は、空調ケース２の上流に送風機３が収納される送風機ケース部４が形成され、その開口側に内外気切換ボックス５が取付られている。この内外気切換ボックス５には切換ドア７が配され、該切換ドア７の位置により、外気導入口８と内気導入口９を選択し、外気又は内気を選択的に導入を可能としている。１０はエンジンルームと分ける仕切り壁である。
【００２１】
前記送風機３の下流側の空調ケース２は、徐々に拡大され、空調通路１１となり、導入空気を冷却するエバポレータ１２がその通路１１の全面に亘って立設されている。そしてその下流に冷却された空気（冷風）を加熱するヒータコア１３が配されている。このヒータコア１３は、前記した空調通路１１の中心より上方側に立設され、その下方は冷風が前記ヒータコア１３をバイパスして流れるバイパス通路１４となっている。このように、ヒータコア１３が上方側にあることで、空調ケースの下方で、しかも座席側に出っ張るような該ヒータコアのスペースを作らなくて良くなる。またこのヒータコア１３の前面である上流側には、ミックスドア１６が配され、このミックスドア１６の開度で、ヒータコア１３に流れる流量を制御している。即ち、再加熱量を調節している。
【００２２】
ミックスドア１６は、ヒータコア１３の前面の温風ドア１６ａとバイパス通路１０内の冷風ドア１６ｂとより成り、温風ドア１６ａと冷風ドア１６ｂとは、リンク機構１７により連動しており、この駆動源は図示しないアクチュエータから温度コントロール信号に基づく開度量として温風ドア１６ａ、冷風ドア１６ｂに伝えられている。即ち、図示の状態では、吹出モードがベントモードで、温風ドア１６ａは、全閉、冷風ドア１６ｂは全開となっている。
【００２３】
前記ヒータコア１３で暖められた温風は、バイパス通路１４を通って流れてきた冷風と空調通路１１の下流側のミックス空間１５で混合され、所望する温度に温調され、所望の吹出モードにしたがって、各吹出用開口から吹出される。フット吹出用開口２０が前記ヒータコア１３の近傍である真上の位置に開口している。また、前記ヒータコア１３より最も遠い位置にベント吹出用開口２１が形成している。そして、このベント吹出用開口２１とフット吹出用開口２０との間にデフロスト用開口２２が開口し、前記各吹出用開口２０，２１，２２には、吹出モードドア２４，２５，２６が設けられている。そしてまた、各吹出口２０，２１，２２に足元ダクト２７、ベントダクト２８、デフダクト２９がそれぞれ接続されている。
【００２４】
図１の状態は、吹出モードはベントモードで、エバポレータで冷却された冷風はミックス空間１５を通り、空調ケース２の主に座席側を通り流れ、ベント吹出用開口２１から車外に吹出される。即ち、冷風はヒータコアから最も遠い位置を流れるので、ヒータコアからの暖気のピックアップ現象を少なくすることができる。
【００２５】
また、この空調ケースは、その座席側に面する部分に断熱吸音材３０を貼着している。さらに、この空調ケース２は、図３に示すように、横方向に分割線３１を形成して、下方にドレン部３２を設けている。このドレン部３２は、上方が開口の椀状をなしており、このため、縦の分割線がなく、冷却水が空調ケース２外にしみ出ることがない。
【００２６】
このドレン部３２の底面の内側で、エバポレータ１２の下流から前記ミックスドア１６である冷風ドア１６ｂの近くまで、空調通路１１に流れる冷風の流れに直角方向にリブ３３が複数立設している。これにより、冷風の影響を受けずに、集めた凝縮水を排水孔３４より排水している。
【００２７】
さらに、空調ケース２の底面の内側で最も冷風ドア側に段差３５が設けられ、冷風ドア１６ｂが完全に閉じられた時には、該冷風ドア１６ｂが段差３５に当接され、そして、それからバイパス通路に冷風を流すために開くと、図１において前方側へ回動され、底面にたまった凝縮水を前方即ち、排水孔３４方向に押し出すことになり、排水がスムーズとなっている。３６は冷風ドア１６ｂの回動軸、３７はその回動軸３６に接続の外部レバーである。
【実施例２】
【００２８】
図４において、この発明の第２の実施例が示されている。この例は、前記した第１の実施例と異なる所は、ヒータコアの背後に、温風流出阻止板３８を設けたことにある。この温風流出阻止板３８は、前記ミックスドア１６の温風ドア１６ａよりリンク機構３９に連結されている。このため、冷風ドア１６ｂの全開時のフルクール時にあっては、温風流出阻止板３８が全閉となり、冷風の流れによる暖気のピックアップ現象を確実に防止することができる。その他の部分は、第１の実施例と同一のため、均等の部分は同一番号を付して、その説明を省略する。
【図面の簡単な説明】
【００２９】
【図１】この発明の第１の実施例を示す縦断面図である。
【図２】同上のＡ−Ａ線断面図である。
【図３】同上の側面図である。
【図４】この発明の第２の実施例を示す縦断面図である。
【符号の説明】
【００３０】
１  自動車用空調装置
２  空調ケース
５  内外気切換ボックス
８  外気導入口
９  内気導入口
１２  エバポレータ
１３  ヒータコア
１４  バイパス通路
１５  ミックス空間
１６  ミックスドア
１６ａ  温風ドア
１６ｂ  冷風ドア
１７  リンク機構
２０  フット吹出用開口
２１  ベント吹出用開口
２２  デフロスト用開口
３０  断熱吸音材
３１  分割線
３２  ドレン部
３３  リブ
３４  排水孔
３５  段差
【図１】
2006137214.tif 000003
【図２】
2006137214.tif 000004
【図３】
2006137214.tif 000005
【図４】
2006137214.tif 000006